(57)【要約】【課題】定着装置内への用紙進入の予兆を検知して制御に入るため、フィードフォワード時間を長く取ることにより、待機時の設定温度を下げることができ、エネルギー節約が可能な画像形成装置を提供する。【解決手段】画像形成装置のオペレーションの特性を生かした印刷開始予兆検知手段を備え、時刻ｔｙ（印刷開始指令時刻ｔｓより前）で予兆を検知したら、その時点でフィードフォワード制御を開始させる。すると時刻ｔｓでの温度Ｔｓから時刻ｔｙでの温度Ｔｙを差し引いた分（温度Ｔｓ−Ｔｙ）フィードフォワードに用いる時間が長く取れる。そのため用紙通過開始時刻ｔｐ以降の温度落ち込みの防止が図れる。転写用紙が定着装置に進入し始めることによる温度落ち込みを防止でき、待機状態の設定温度を下げておくことができ、待機状態の省エネルギーが可能となる。【選択図】図６
2007309966.tif 000002
【特許請求の範囲】
【請求項１】
熱と圧力によりトナー像を転写用紙に定着させる定着装置を有する画像形成装置において、転写用紙が該定着装置を通過する予兆を検知し得る検知手段を具備し、予兆検知した時点から電力供給量のフィードフォワード制御を行うことを特徴とする画像形成装置。
【請求項２】
請求項１の画像形成装置において、用紙の定着装置通過を予兆する前記検知手段として、画像形成装置本体に人感センサを配設してなり、該人感センサの検知信号を前記フィードフォワード制御を行う起点とすることを特徴とする画像形成装置。
【請求項３】
請求項１の画像形成装置において、用紙の定着装置通過を予兆する前記検知手段として、画像形成装置本体に原稿セット検知手段を配設してなり、該原稿セット検知手段の検知信号を前記フィードフォワード制御を行う起点とすることを特徴とする画像形成装置。
【請求項４】
請求項１の画像形成装置において、用紙の定着装置通過を予兆する前記検知手段として、画像形成装置本体に外装ドアの開閉を検知する外装ドア開閉検知手段を配設してなり、該外装ドア開閉検知手段による外装ドアの開閉検知信号を前記フィードフォワード制御を行う起点とすることを特徴とする画像形成装置。
【請求項５】
請求項１の画像形成装置において、用紙の定着装置通過を予兆する前記検知手段として、画像形成装置本体に転写用紙セット検知手段を配設し、該転写用紙セット検知手段による転写用紙セット検知信号を前記フィードフォワード制御を行う起点とすることを特徴とする画像形成装置。
【請求項６】
請求項１の画像形成装置において、用紙の定着装置通過を予兆する前記検知手段として、画像形成装置本体にオペレーションパネルの操作開始検知手段を配設し、該操作開始検知手段によるオペレーションパネルの操作開始検知信号を前記フィードフォワード制御を行う起点とすることを特徴とする画像形成装置。
【請求項７】
請求項１の画像形成装置において、用紙の定着装置通過を予兆する前記検知手段として、外部コンピュータからの画像形成装置本体に対するアクセスを検知するアクセス検知手段を備え、該アクセス検知手段が示す検知信号を前記フィードフォワード制御を行う起点とすることを特徴とする画像形成装置。
【発明の詳細な説明】
【技術分野】
【０００１】
本発明は、複写機やファクシミリ、プリンタなどの画像形成装置に関し、詳細には熱と圧力によりトナー像を転写用紙に定着させる定着装置を有するものに関する。
【背景技術】
【０００２】
プリンタ、複写機、ファクシミリなどの画像形成装置に対し、市場では、信頼性、安全性についての要求が強くなる一方で、地球規模での省エネルギーに資するようにことも望まれている。
【０００３】
一般に電子写真方式の画像形成装置では、トナー像形成プロセスにより、感光体や中間転写体などの像担持体にトナー像を形成し、供給された転写紙やＯＨＰ用フィルム等の記録媒体に像担持体からトナー像を転写し、未定着トナー像を定着装置にて記録媒体に定着させた後、記録媒体を装置外に排出する。
【０００４】
このような画像形成装置に用いる定着装置は熱源を有しており、定着装置内では記録媒体上でトナーを溶融させつつ圧力にて紙の繊維にトナーを浸透させることで定着性を確保している。すなわち、記録媒体が定着装置内を通過したとき、記録媒体とトナー像は定着装置から熱エネルギーを受けるので、定着装置内の熱量が奪われる。その情報は、定着装置内の温度センサのセンシング値が低下することによりわかるので、熱量を補う形態で熱源に電力の入力がなされる。この電力の入力は、温度センサの出力が所定の域に入っているように温度調整回路で演算して、入力量を決定する。このようなフィードバックループを持つ定着装置の制御をブロック線図で表すと図１のようになる。
【０００５】
上述のようなフィードバックループを持つ温度調整機構であると、定着装置内の熱量を奪われて、その後に温度センサの出力が落ちてくることによって始めてコントローラから入力電力量を増加させる演算が行われ、電力が供給される。例えば、ある一定温度に保った定着装置に用紙が進入すると、まず定着装置の温度が落ち、その後目標温度に復帰することになる。トナー像は定着できる下限温度がトナーの融点により決まってくるので、温度落ち込み量が大きいと定着不良を発生させてしまう。
【０００６】
そこで、落ち込み量を見こんで、落ち込んでも定着温度下限に達しないように、通紙前の設定温度を上げておく方法が一般的である。
【０００７】
しかしながら、待機状態でも設定温度を上げておくように制御すると、待機時間が長い場合には定着装置を目標温度に保っておくための無駄なエネルギーが消費されることになる。そこで昨今では、あらかじめ定着装置の伝熱をモデル化しておき、印刷指令が出てから用紙の定着装置通過前の間、定着装置の温度落ち込みを少なくするように演算された電力供給をするフィードフォワード制御が用いられている。この制御を行うと、温度落ち込みが少ない分、待機状態の設定温度を下げておくことが可能であり、定着装置が保持する熱量が少なくなるため、待機時の省エネルギーが可能となる。
【０００８】
しかしながら、さらに昨今ではプリントアウトタイムの短縮化により、給紙装置と定着装置のパス間の距離が縮まる傾向にあり、印刷指令から定着装置通過までの時間が短くなってきている。そのため、印刷指令から用紙の定着装置通過までの時間も短くなってきた。単位時間当たりに供給できる熱量は通常定着システムで上限があるので、フィードフォワード制御に使える時間が短いと、温度落ち込みが無いような電力供給が出来ず、結局待機温度を若干上げておかざるを得なくなってきている。
【０００９】
例えば特許文献１には、定着装置の制御方式において、ホスト装置からの印刷指示に含まれる印刷スケジュール情報から定着装置の通紙タイミングや定着に要する熱量を演算予測し、通紙タイミングに対して熱伝達の遅延時間分先行して、定着に必要な熱量を加えるフィードフォワード制御を行う技術が開示されている。
【００１０】
また特許文献２には、画像形成装置における定着装置の加熱体を加熱するためのヒータの駆動制御を行うヒータ駆動装置において、ＡＣ電源から整流回路及びスイッチ素子を介して前記ヒータに電力を供給し前記加熱体の温度を温度検出手段で検出して前記スイッチ素子の導通比率を変化させる手段と、前記ＡＣ電源の電圧を検出する電圧検出手段とを有し、この電圧検出手段で検出した前記ＡＣ電源の電圧と、前記温度検出手段で検出した前記加熱体の温度と、前記画像形成装置の画像形成状況とに応じて、前記加熱体の温度が低下する前に、前記スイッチ素子の導通比率を拡げ、温度リプルが大きくなるという課題を解決しようとする技術が開示されている。
【００１１】
さらに特許文献３には、定着器の温度制御方法に関し、ファーストプリント時、画像作成動作に入る前の初工程の所定の段階から、前記表面温度状態判定結果に従い、予め設定しておいたデータ群の中から前記判定結果に対応した時間を抽出し、加熱手段をオンさせることによって定着ローラの表面温度を所定の状態にするファーストプリント温度補償と、定着動作時、記録媒体が定着器を通過することによって生じる定着ローラ表面温度の低下を記録媒体が定着器に投入される前の画像作成段階において、記録媒体の種類及び色重ね合わせ工程回数により予め設定しておいたデータ群の中から、奪われる熱量分に対応した時間を抽出し、加熱手段をオンさせることによって一頁毎の定着ローラ表面の温度低下を補償する２種類の温度補償動作を行うという技術が開示されている。
【特許文献１】特開２００２−１１６６５８号公報
【特許文献２】特開２００３−０５０５２０号公報
【特許文献３】特開平０７−２１００２８号公報
【発明の開示】
【発明が解決しようとする課題】
【００１２】
以上のように従来の技術では、フィードバック制御であると、定着装置への用紙進入開始の温度落ち込みを見込んで待機時の温度を上げておく必要がある。それを改善するためにフィードフォワード制御を取り入れても、プリントタイムを優先させる場合、フィードフォワード時間が無いと十分な熱量供給が出来ないため、待機時の設定温度を上げておくなど、結局定着装置内に蓄熱が必要となる。
【００１３】
本発明は以上のような問題点にかんがみてなしたものであり、定着装置内への用紙進入の予兆検知を利用して制御に入ることにより、待機時の設定温度を下げ、エネルギー節約が可能な画像形成装置を提供することを目的とするものである。
【課題を解決するための手段】
【００１４】
本発明の請求項１に係る画像形成装置は、熱と圧力によりトナー像を転写用紙に定着させる定着装置を有する画像形成装置において、転写用紙が該定着装置を通過する予兆を検知し得る検知手段を具備し、予兆検知した時点から電力供給量のフィードフォワード制御を行うことを特徴とする。
【００１５】
なお、本請求項１に係る発明における、定着装置への用紙進入の予兆を検知し制御に入るとは、あらかじめ定着装置の伝熱をモデル化しておき、印刷指令が出てから用紙の定着装置通過前の間、定着装置の温度落ち込みを少なくするように演算された電力供給をするフィードフォワード制御が用いられていることや、画像形成装置の画像形成状況とに応じて、定着ローラの温度が低下する前にスイッチ素子の導通比率を拡げ、画像を形成する場合としない場合の制御を分け、画像形成する場合にのみにフィードフォワード制御を行うことのように、何らかの印刷開始指令により画像形成を行う場合になされる制御ではなく、すなわち画像形成を開始してからフィードフォワード制御を開始するタイミングとする制御ではなく、印刷される可能性があるイベント（事象）があったならば、印刷指令が出る前であっても定着フィードフォワード制御を開始してしまうことを特徴とする。昨今ではファーストプリント速度が速くなってきており、印刷指令から給紙、定着までの時間が短くなってきており、その故に温度低下を十分に防止できる熱エネルギー供給ができなくなる場合があり得ることを考慮したものである。
【００１６】
本発明の請求項２に係る画像形成装置は、請求項１の画像形成装置において、用紙の定着装置通過を予兆する前記検知手段として、画像形成装置本体に人感センサを配設してなり、該人感センサの検知信号を前記フィードフォワード制御を行う起点とすることを特徴とする。すなわち、印刷指令のもっと前段階である機械の前に人が立った、というような印刷に到るかどうか解らないが、印刷指令が出る可能性のあるものを起点とするものである。
【００１７】
本発明の請求項３に係る画像形成装置は、請求項１の画像形成装置において、用紙の定着装置通過を予兆する前記検知手段として、画像形成装置本体に原稿セット検知手段を配設してなり、該原稿セット検知手段の検知信号を前記フィードフォワード制御を行う起点とすることを特徴とする。
【００１８】
本発明の請求項４に係る画像形成装置は、請求項１の画像形成装置において、用紙の定着装置通過を予兆する前記検知手段として、画像形成装置本体に外装ドアの開閉を検知する外装ドア開閉検知手段を配設してなり、該外装ドア開閉検知手段による外装ドアの開閉検知信号を前記フィードフォワード制御を行う起点とすることを特徴とする。
【００１９】
本発明の請求項５に係る画像形成装置は、請求項１の画像形成装置において、用紙の定着装置通過を予兆する前記検知手段として、画像形成装置本体に転写用紙セット検知手段を配設し、該転写用紙セット検知手段による転写用紙セット検知信号を前記フィードフォワード制御を行う起点とすることを特徴とする。
【００２０】
本発明の請求項６に係る画像形成装置は、請求項１の画像形成装置において、用紙の定着装置通過を予兆する前記検知手段として、画像形成装置本体にオペレーションパネルの操作開始検知手段を配設し、該操作開始検知手段によるオペレーションパネルの操作開始検知信号を前記フィードフォワード制御を行う起点とすることを特徴とする。
【００２１】
本発明の請求項７に係る画像形成装置は、請求項１の画像形成装置において、用紙の定着装置通過を予兆する前記検知手段として、外部コンピュータからの画像形成装置本体に対するアクセスを検知するアクセス検知手段を備え、該アクセス検知手段が示す検知信号を前記フィードフォワード制御を行う起点とすることを特徴とする。
【発明の効果】
【００２２】
本発明は、定着装置内への用紙進入の予兆を検知して制御に入るため、フィードフォワード時間を長く取ることにより、待機時の設定温度を下げることができ、エネルギー節約が可能となる。
【発明を実施するための最良の形態】
【００２３】
以下本発明を実施するための最良の形態を、図に示す実施例を参照して説明する。
【実施例１】
【００２４】
図２は、本発明に係る定着装置を備える画像形成装置の一例の概略断面図であり、４パス１カラー中間転写方式と呼ばれるカラー画像形成装置である。但し、本発明の適用は、図示の実施例以外の方式である画像形成装置でも全く差し支えない。
【００２５】
図中、感光体ベルト１を中心に、帯電、露光、現像、中間転写の各システムを有するトナー像形成システムである。このトナー像形成システム１により４色現像され形成されたカラートナー像は、給紙装置２ａ、２ｂ、２ｃから図中鉛直方向上向きに搬送された転写用紙に、転写装置３により転写する。給紙装置２ａ、２ｂは、画像形成装置本体１０に内蔵され、複数の給紙トレイを有する。なお図中２ｃは手差しトレイを有する給紙装置である。
【００２６】
転写装置３は、転写ローラ方式で構成してある。この転写装置３を通過した転写用紙は、定着装置４へ進入する。定着装置３における定着方式は、定着装置３の内部に備えた熱源により加熱されたローラ対のニップに転写紙と転写されたトナー像を通過させることにより、熱と圧力によりトナーを溶融し、紙の繊維に浸透させ画像を定着させるものである。勿論、定着装置の方式は定着ローラ対を有している方式であれば任意である。そして、定着ニップを通過してトナー像が加熱溶融し定着された転写用紙は、排出装置５へ搬送され、排紙トレイ８上に排出される。
【００２７】
なお図中６はコピー操作及び機会本体の設定を入力するためのオペレーションパネル、７は開閉可能な原稿マットを伴った自動原稿送り読み取り装置である。
【００２８】
図３は、定着装置４の構造を示す断面図である。図中４−１は熱源を内蔵した加熱ローラ、４−２は芯金に表層がシリコンスポンジやシリコンゴムで形成した定着ローラ、４−３は、１と２と不図示のローラに張架され回転走行するシームレスベルト、４−４は定着ニップを形成するため、定着ローラ４−２、シームレスベルト４−３に押圧される加圧ローラ、４−５は定着装置４に固定した転写紙の定着ニップ進入ガイド、４−６は定着装置４に固定した定着ニップ出口ガイドである。また４−７は、加熱ローラ４−１の温度を計測する温度センサであり、４−７はサーミスタや熱伝対など接触型の温度センサの例である。なお、温度センサとしては図中４−７ｂで示すようにサーモパイルなどの非接触型を用いたり、定着ベルト表面をセンシングしていても差し支えない。温度センサ４−７から得た温度情報をもとに、不図示の温度コントローラは温度センサ４−７部の温度を目標温度に追従すべく、加熱ローラ４−１への供給電力を演算し、供給する。
【００２９】
本発明に係る制御を従来の例と比較しつつ説明する。
図４は従来広く使われているフィードバックループのみを有する温度制御装置で制御された定着装置の温度プロフィールを模式的に示すものである。また、図５は従来技術であるフィードフォワード制御を加えた定着温度制御プロフィールの一例を示す図である。
【００３０】
図４は、目標温度Ｔｍｎの一つである印刷待機状態温度Ｔｍ１で待機していた定着装置に用紙が進入し、約ΔＴ１だけ温度の落ち込みが生じた状態を示す図である。もちろん用紙通過開始時刻ｔｐより少し後の時点で温度センサの検出温度Ｔｒ１は印刷待機状態温度Ｔｍ１を下回るので、コントローラは供給電力を増加させるが、システムの伝熱遅れ時間Δｔ１が存在するために結果的に温度落ち込みが生じてしまう。ここで、Ｔｍｉｎは定着下限温度であり、通紙中にこれを下回ってしまうと、そのときは定着不良を生じさせてしまう。したがって、伝熱遅れΔＴ１を前もって把握しておき、Ｔｍ１＝Ｔｍｉｎ＋ΔＴ１＋αのように設定温度を決定している。図中ｔｓは印刷開始指令時刻である。
【００３１】
温度落ち込みを最小限にできれば待機温度を低く設定できるが、昨今はウオームアップタイム短縮化の要求から、図３のような熱容量の小さいシームレスエンドレスベルトを熱媒体に採用する場合が多くなってきたため、定着装置内に蓄熱できる量の上限が低くなってきた。そこで、昨今では定着システムの伝熱をシステム同定などの手法を用いてモデル化しておき、フィードフォワード制御による温度落ち込みを防止する手法が採用されていることは既述の通りである。
【００３２】
しかしながら、給紙装置から定着装置までの距離が短く、用紙搬送速度が速いレイアウトの画像形成装置の場合、印刷開始指令から用紙が定着装置内を通過する時間が、システム伝熱の遅れ時間より短く、単位時間当たりに供給可能な熱量も上限があるため、その上限以上には熱量を供給できず、図４に示す伝熱送れΔＴ１よりは小さいものの検出温度Ｔｒ２には図５中に示す温度ΔＴ２分だけ温度落ち込みが生じる。そしてその結果、待機時の設定温度Ｔｍ２＝Ｔｍｉｎ＋ΔＴ２＋αと設定せざるを得なくなる。
【００３３】
図４、図５で示した例を改善したのが図６の本発明の実施例である。
本実施例では、画像形成装置のオペレーションの特性を生かした印刷開始予兆検知手段を備える。印刷開始予兆検知手段については種々後述する。そして、時刻ｔｙ（時刻ｔｓより前）で予兆を検知したら、その時点でフィードフォワード制御を開始させる。すると時刻ｔｓでの温度Ｔｓから時刻ｔｙでの温度Ｔｙを差し引いた分（温度Ｔｓ−Ｔｙ）だけフィードフォワードに用いる時間が長く取れるため、時刻ｔｐ以降の温度落ち込みの防止が大いに期待できる（温度Ｔｓ、Ｔｙは符号の記入を省略してある）。
【００３４】
また、温度差Ｔｓ−Ｔｙにはばらつきが予想される。フィードフォワード時間が長くなればその分目標温度に対して検出温度Ｔｒが高くなっていってしまう。その対策としてはフィードフォワードにより電力量を増加させるのをタイマーで区切りタイマー検知後待機時と同じ制御に戻すか、目標温度を超えて大きく発散しないようにコントローラの設計をしておく必要がある。また、予兆のみ検出して実際に印刷が行われないことも想定すると、温度差Ｔｓ−Ｔｙが無限大になった場合と考えてタイマー及びコントローラの設計をすればよい。
【００３５】
すなわち、転写用紙が定着装置に進入し始めることによる温度落ち込みを防止できるので、待機状態の設定温度を下げておくことが出来、待機状態の省エネルギーが可能となる。
【実施例２】
【００３６】
図２の画像形成装置本体１０のオペレーションパネル６の近傍に人感センサを備えておく。人感センサの設置場所は操作部６の近傍が望ましいが、画像形成装置本体１０の前面、側面などでもよく、人の接近を感知できる場所であれば特に限定されないが、もちろん装置本体１０の裏面や下面は望ましくないであろう。
【００３７】
なお人感センサは赤外線、音波、マイクロ波などの差分検出方式のセンサを用いるのが一般的であるが、検知方式も特に限定するものではない。人感センサが検知した場合、オペレータが印刷操作する前兆として捉え、定着装置は前述のフィードフォワード制御を開始する。すなわち本実施例では、転写用紙が定着装置内に進入し始める予兆検出をより広く行うことを可能にしている。
【実施例３】
【００３８】
なお図２には図示していないが、オペレータの原稿台を開閉検知、自動原稿送り装置への原稿挿入検知センサを有しているものとすれば、そのような動作を検知をした場合、定着装置が前述のフィードフォワード制御を開始するようにすることができる。すなわち、センサの数を増やすことなくより、安価な画像形成装置の提供が可能となる。
【実施例４】
【００３９】
またトナーや定着オイルや廃棄トナーボトルなど消耗品は外装ドアを開けて交換や補充するケースが多い。図２には不図示であるが、画像形成装置本体１０の外装ドアには開閉検知センサが配設されている場合が殆どである。そこで、このドアの開閉もオペレータが印刷する準備と見て、開いてから閉まったと検知した場合、定着装置では前述のフィードフォワード制御を開始する。図２に示した給紙トレイ２ａ、２ｂの開閉についても同様に考えることができる。
【実施例５】
【００４０】
もちろん、上述の各実施例において、センサの数を増やすことなくより安価な画像形成装置の提供が可能となる。
【００４１】
図２中の符号２ｃは手差しトレイであるが、手差しトレイ２ｃにも用紙有無検知手段を配設する。用紙が無い状態から、補充された状態に遷移した場合は、オペレータが印刷する準備と見て取り、定着装置は前述のフィードフォワード制御を開始する。
【実施例６】
【００４２】
なお画像形成装置の操作部であるオペレーションパネル６は、タッチセンサー式のパネルや複数のボタン、またはそれらの両者で構成されている場合が殆どになってきている。オペレータがこのオペレーションパネル６を操作すると、操作信号が画像形成装置本体１０のコントローラにより認識されるが、その操作信号をオペレータが印刷する準備と見て取り、定着装置４は前述のフィードフォワード制御を開始する。
【００４３】
すなわち、オペレータがプリント開始ボタンを押す前の操作で、オペパネに触れた段階でフィーフォワード制御を開始するというものである。オペレータがオペレーションパネル６に触れたことを予兆をして捉えているのである。
【実施例７】
【００４４】
なお本発明は、例えばコンピュータのＯＳ上で、プリンタのプロパティを開くなどの操作を行い、画像形成装置本体１０に対するアクセスが発生したことを検知するアクセス検知手段を備えるようにし、アクセス検知手段が示す検知信号をフィードフォワード制御を行う起点とすること、すなわちアクセス検知手段による信号検知を印刷開始操作の前段階の予兆として捉えることができる。この例でも、センサの数を増やすことがなくて済むので、より安価な画像形成装置の提供が可能となる。
【実施例８】
【００４５】
さらに、画像形成装置がコンピュータネットワーク上に接続された、いわゆるプリンタの場合、オペレータが装置近傍まで来て装置を操作する局面が少ないかあまり無い。しかしながら、オペレータは画像形成装置の操作ソフトウエァ、いわゆるドライバをクライアントコンピュータから操作することにより印刷指示を行うので、ドライバを通じて画像形成装置のプリンタコントローラに、印刷開始のコマンドが無くても、クライアントコンピュータから画像形成装置のプリンタコントローラにアセスがあった場合、定着装置４が前述のフィードフォワード制御を開始するようにしてもよい。この例も、センサの数を増やすことなくより安価な画像形成装置の提供が可能となる。
【００４６】
なお予兆を検知し、定着装置のフィードフォワード制御に入ったが実際印刷されなかった場合があり得る。この場合は、熱量過多になるため定着装置の温度が目標よりも上昇することが懸念される。このような場合は、従来の例の実施例にあるように、ある温度以上に達したら電力供給を遮断するような機構を設けておけばよい。
【図面の簡単な説明】
【００４７】
【図１】従来技術であるフィードバックループを持つ定着温度制御システムを示すブロック線図
【図２】本発明に係る定着装置を備える画像形成装置の一例の概略断面図
【図３】図２の定着装置の構造を示す断面図
【図４】従来広く使われているフィードバックループのみを有する温度制御装置で制御された定着装置の温度プロフィールを模式的に示す図
【図５】従来技術であるフィードフォワード制御を加えた定着温度制御プロフィールの一例を示す図
【図６】本発明の実施例での定着温度制御プロフィールの一例を示す図
【符号の説明】
【００４８】
１  感光体
２ａ、２ｂ、２ｃ  給紙装置
３  転写装置
４  定着装置
４−１  加熱ローラ
４−２  定着ローラ
４−３  定着ベルト
４−４  加圧ローラ
４−５  定着ニップ入口ガイド板
４−６  定着ニップ出口ガイド板
４−７  定着装置温度センサ
５  排紙装置
６  画総形成装置のオペレーションパネル
７  自動原稿送り読み取り装置
Ｔｍｎ  目標温度
Ｔｍ１  印刷待機状態温度
Ｔｍ２  待機時の設定温度
Ｔｒ  温度計測部での検出温度
Ｔｍｉｎ  定着下限温度
ΔＴｎ  遅れ時間
ｔｐ  用紙通過開始時刻
ｔｓ  印刷開始指令時刻
ｔｙ  印刷予兆検出時刻
【図１】
2007309966.tif 000003
【図２】
2007309966.tif 000004
【図３】
2007309966.tif 000005
【図４】
2007309966.tif 000006
【図５】
2007309966.tif 000007
【図６】
2007309966.tif 000008